(57)【要約】【課題】巻上機の水平方向における揺れを抑えたエレベータを提供する。【解決手段】本発明は、かごを前記昇降路内において昇降させる巻上機と、前記昇降路内に固定され且つ上下方向に延びると共に上下方向と直交する第一方向において第一案内対象物を挟んで案内する一対の第一レールと、前記昇降路内に固定され且つ上下方向に延びると共に上下方向と直交し且つ前記第一方向と異なる第二方向において第二案内対象物を挟んで案内する一対の第二レールと、前記巻上機の位置を固定する固定部と、を備え、前記固定部は、前記第一レールに直接又は間接に接続されると共に、前記第二レールに直接又は間接に接続される、ことを特徴とする。【選択図】図３
2019137511.tif 000002
【特許請求の範囲】
【請求項１】
かごを前記昇降路内において昇降させる巻上機と、
前記昇降路内に固定され且つ上下方向に延びると共に上下方向と直交する第一方向において第一案内対象物を挟んで案内する一対の第一レールと、
前記昇降路内に固定され且つ上下方向に延びると共に上下方向と直交し且つ前記第一方向と異なる第二方向において第二案内対象物を挟んで案内する一対の第二レールと、
前記巻上機の位置を固定する固定部と、を備え、
前記固定部は、前記第一レールに直接又は間接に接続されると共に、前記第二レールに直接又は間接に接続される、エレベータ。
【請求項２】
前記固定部は、前記一対の第一レールのうち一方の第一レールから前記一対の第二レールのうち一方の第二レールまで水平面に沿って延びる固定部材を有し、
前記巻上機は、前記固定部材の長さ寸法における中心位置より、前記一方の第一レール側又は前記一方の第二レール側に位置する、請求項１に記載のエレベータ。
【発明の詳細な説明】
【技術分野】
【０００１】
本発明は、かごとカウンターウェイトとを連結するロープが巻き掛けられる巻上機が昇降路内に配置されているエレベータに関する。
【背景技術】
【０００２】
従来から、かごとカウンターウェイトとを連結するロープが巻き掛けられる巻上機が昇降路の上部に配置されるエレベータが知られている（特許文献１参照）。このエレベータは、図５に示すように、昇降路内において上下方向に延び且つかご１０３を案内するかごレールＲ２と、昇降路内において上下方向に延び且つカウンターウェイトＷを案内するカウンターウェイトレールＲ１と、カウンターウェイトレールＲ１の上端部に固定された機械土台枠１５０と、機械土台枠１５０に設置される巻上機１０４と、を備える。カウンターウェイトレールＲ１は、昇降路に固定されている。巻上機１０４の上部は、連結部材１７０により機械土台枠１５０に固定されている。また、巻上機１０４の下部も、機械土台枠１５０に固定されている。
【先行技術文献】
【特許文献】
【０００３】
【特許文献１】特許第３７００４１２号公報
【発明の概要】
【発明が解決しようとする課題】
【０００４】
カウンターウェイトレールＲ１やかごレールＲ２は、昇降路への固定構造やレールの構造の関係上、一般的に、レールの並び方向に直交する方向に比べて、レールの並び方向において揺れやすい。そのため、カウンターウェイトレールＲ１を介して昇降路に固定されている機械土台枠１５０は、カウンターウェイトレールＲ１の並び方向と直交する方向に比べて、この並び方向において揺れやすい。これにより、例えば、カウンターウェイトＷに対してカウンターウェイトレールＲ１の並び方向において力がかかると、カウンターウェイトレールＲ１がこの並び方向において揺れることにより、機械土台枠１５０もこの並び方向において揺れ、その結果、巻上機１０４もこの並び方向において揺れるおそれがあった。
【０００５】
本発明は、巻上機の水平方向における揺れを抑えたエレベータを提供することを目的とする。
【課題を解決するための手段】
【０００６】
本発明のエレベータは、かごを前記昇降路内において昇降させる巻上機と、前記昇降路内に固定され且つ上下方向に延びると共に上下方向と直交する第一方向において第一案内対象物を挟んで案内する一対の第一レールと、前記昇降路内に固定され且つ上下方向に延びると共に上下方向と直交し且つ前記第一方向と異なる第二方向において第二案内対象物を挟んで案内する一対の第二レールと、前記巻上機の位置を固定する固定部と、を備え、前記固定部は、前記第一レールに直接又は間接に接続されると共に、前記第二レールに直接又は間接に接続される。
【０００７】
かかる構成によれば、水平方向における第一方向に直交する方向では、水平方向における第一方向と比べて、第一レールが揺れにくくなっている。同様に、水平方向における第二方向に直交する方向では、水平方向における第二方向と比べて、第二レールが揺れにくくなっている。このように比較的揺れやすい方向が異なる第一レール及び第二レールが巻上機を固定しているため、第一レールのみに固定された巻上機や第二レールのみに固定された巻上機と比べて、前記エレベータの巻上機は水平方向において揺れにくい。従って、巻上機の水平方向における揺れを抑えたエレベータを提供することができる。
【０００８】
また、前記エレベータでは、前記固定部は、前記一対の第一レールのうち一方の第一レールから前記一対の第二レールのうち一方の第二レールまで水平面に沿って延びる固定部材を有し、前記巻上機は、前記固定部材の長さ寸法における中心位置より、前記一方の第一レール側又は前記一方の第二レール側に位置してもよい。
【０００９】
固定部材の長さ寸法における中心位置では、巻上機の荷重により固定部材は最も曲がりやすい。これに対して、かかる構成によれば、巻上機が固定部材の中心位置より一方側又は他方側に配置されているため、固定部材の中心位置に配置されている構成と比べて、固定部材が曲がりにくい。
【発明の効果】
【００１０】
以上より、本発明によれば、巻上機の水平方向における揺れを抑えたエレベータを提供することができる。
【図面の簡単な説明】
【００１１】
【図１】図１は、本実施形態に係るエレベータの構成を示す模式図である。
【図２】図２は、前記エレベータにおける図１のＩＩ−ＩＩ線方向での模式断面図である。
【図３】図３は、前記エレベータの昇降路上部を巻上機の正面側から見たときの構成を示す模式図である。
【図４】図４は、前記エレベータの昇降路上部を巻上機の側面側から見たときの構成を示す模式図である。
【図５】図５は、従来のエレベータの構成を示す模式図である。
【発明を実施するための形態】
【００１２】
以下、本発明の一実施形態について、図１〜図４を参照しつつ説明する。
【００１３】
本実施形態に係るエレベータは、図１に示すように、建物内において垂直方向に延びる昇降路２と、昇降路２内を昇降するかご（第二案内対象物）３と、かご３と連動して昇降路２内を昇降するカウンターウェイト（第一案内対象物）Ｗと、かご３とカウンターウェイトＷとを連結するロープＲと、ロープＲを駆動する巻上機４と、巻上機４の位置を固定する固定部５と、を備える。また、エレベータ１は、かご３を昇降路２内で案内する一対のかごレール（第二レール）Ｒ２と、カウンターウェイトＷを昇降路２内で案内するカウンターウェイトレール（第一レール）Ｒ１と、を備える。さらに、エレベータ１では、以下、利用客がかご３に乗降する方向（図１における左右方向）を直交座標系におけるＸ軸方向（水平方向、第一方向）とし、Ｘ軸方向と直交し且つ水平面に沿った方向（図１における紙面と垂直方向）を直交座標系におけるＹ軸方向（水平方向、第二方向）とし、垂直方向（上下方向、かご３の昇降方向）を直交座標系におけるＺ軸方向とする。
【００１４】
かごレールＲ２は、Ｚ軸方向に延び、かご３のＹ軸方向の両側のそれぞれに配置される。本実施形態のかごレールＲ２は、Ｔ形鋼であると共に（図２参照）、Ｚ軸方向において延びる棒状の部材である（図１、図３、図４参照）。これら一対のかごレールＲ２は、Ｙ軸方向に間隔（かご３のＹ軸方向の寸法と対応する間隔）をあけて平行に配置され、昇降路２内においてかご３をＹ軸方向において挟んでＺ軸方向に案内（ガイド）する。
【００１５】
カウンターウェイトレールＲ１は、Ｚ軸方向に延び、カウンターウェイトＷのＸ軸方向の両側のそれぞれに配置される。本実施形態のカウンターウェイトレールＲ１は、Ｔ形鋼であると共に（図２参照）、Ｚ軸方向において延びる棒状の部材である（図１、図３、図４参照）。これら一対のカウンターウェイトレールＲ１は、Ｘ軸方向に間隔（カウンターウェイトＷのＸ軸方向の寸法と対応する間隔）をあけて平行に配置され、昇降路２内においてカウンターウェイトＷをＸ軸方向において挟んでＺ軸方向に案内（ガイド）する。本実施形態のエレベータ１では、一対のカウンターウェイトレールＲ１は、昇降路２内におけるＹ軸方向の一方側の端部に配置される（図２参照）。
【００１６】
尚、カウンターウェイトレールＲ１やかごレールＲ２は、ブラケット６を介して昇降路２内に固定されている。具体的に、ブラケット６は、アンカーボルト等により昇降路２を規定する壁面や建物の鉄骨に固定される。
【００１７】
巻上機４は、ロープＲが巻き掛けられるシーブ４１と、該シーブ４１を回転駆動する巻上機本体（本体）４２と、を有する。シーブ４１は、Ｙ軸方向に延びる回転軸を回点中心にして回動（回転）する。これらシーブ４１と巻上機本体４２とは、Ｙ軸方向（シーブ４１の回転軸方向）に並んでいる。本実施形態の巻上機４は、いわゆる薄型の巻上機であり、例えば、この巻上機４のＹ軸方向の寸法は、巻上機４のＸ軸方向の寸法より小さい。この巻上機４のシーブ４１が回動することによって、かご３が昇降路２を昇降する。
【００１８】
固定部５は、かごレールＲ２に間接に接続されている。また、固定部５は、カウンターウェイトレールＲ１に直接又は間接に接続されている。本実施形態の固定部５は、水平面に沿って延びる（例えば、Ｘ軸方向に延びる）と共に、一方のカウンターウェイトレールＲ１１及び他方のカウンターウェイトレールＲ１２にそれぞれ直接接続された接続部位５０１、５０２を有する下側固定部材５０と、水平面に沿って延びる（例えば、Ｘ軸方向に延び且つそのＸ軸方向における一方側の端部（図２における下側の端部、図３における左側の端部）がＹ軸方向に延びるＬ字形状を有する）と共に、一方のかごレールＲ２１と他方のカウンターウェイトレールＲ１２にそれぞれ間接に接続された接続部位５１１、５１２を有する上側固定部材（固定部材）５１と、を有する（図３参照）。尚、下側固定部材５０は、溝形鋼である（図４参照）。また、上側固定部材５１は、Ｌ形鋼である。
【００１９】
下側固定部材５０は、例えば、接続部位５０１において、一方のカウンターウェイトレールＲ１１の上方の端部Ｒ１１０に溶接されている（図３参照）。また、下側固定部材５０は、例えば、接続部位５０２において、他方のカウンターウェイトレールＲ１２に溶接されている。さらに、下側固定部材５０は、巻上機４の下端４０を支持している。下側固定部材５０及び巻上機４は、Ｚ軸方向において防振部材６０を挟んだ状態で、連結部材により連結されている。例えば、連結部材は、長尺なボルトと、該ボルトと螺合するナットと、を有する。
【００２０】
上側固定部材５１は、例えば、接続部位５１１において、ブラケット６を介して、一方のかごレールＲ２１に溶接されている。また、上側固定部材５１は、例えば、接続部位５１２において、ブラケット６を介して、他方のカウンターウェイトレールＲ１２に溶接されている。さらに、上側固定部材５１は、Ｙ軸方向において巻上機４の上部４３と重なっている（図４参照）。具体的に、上側固定部材５１のＸ軸方向における中央部５１０及び巻上機４の上部４３は、Ｙ軸方向において防振部材６１を挟んだ状態で、連結部材により連結されている。例えば、連結部材は、長尺なボルトと、該ボルトと螺合するナットと、を有する。
【００２１】
本実施形態の上側固定部材５１は、かごレールＲ２１からＹ軸方向に延び、さらに、カウンターウェイトレールＲ１２までＸ軸方向に延びている（図２、図３参照）。また、上側固定部材５１の長さ寸法における中心位置Ｃ１（接続部位５１１、５１２のＸ軸方向に沿った長さにおける中心位置Ｃ１）に対して、巻上機４のＸ軸方向における中心位置Ｃ２が、Ｘ軸方向においてカウンターウェイトレールＲ１２側に位置している。具体的に、上側固定部材５１は、巻上機４の中心位置Ｃ２が上側固定部材５１の中心位置Ｃ１に対して片寄るよう、防振部材６１を介して巻上機４の位置を固定している。
【００２２】
以上の構成により、固定部５は、下側から巻上機４を固定する（支持する）と共に、巻上機４の上部４３を固定している（巻上機４の上部４３のシーブ４１側への傾斜を抑えている）。尚、固定部５は、Ｚ軸方向に延びる部材を有していない。換言すると、巻上機４の側面（例えば、巻上機４における下端４０及び上部４３を除く部位）は、固定部５により固定されておらず、開放された状態となっている。また、巻上機４は、上側固定部材５１の長さ寸法における中心位置Ｃ１より、カウンターウェイトレールＲ１２側に位置している。具体的には、巻上機４の中心位置Ｃ２は、上側固定部材５１のＹ軸方向において最も曲がりやすい中心位置Ｃ１からずれた位置に配置されている。
【００２３】
以上のエレベータ１によれば、Ｘ軸方向では、Ｙ軸方向と比べて、かごレールＲ２が揺れにくくなっている。同様に、Ｙ軸方向では、Ｘ軸方向と比べて、カウンターウェイトレールＲ１が揺れにくくなっている。このように比較的揺れやすい方向が異なるかごレールＲ２やカウンターウェイトレールＲ１が巻上機４の位置を固定しているため、かごレールＲ２のみに固定された巻上機やカウンターウェイトレールＲ１のみに固定された巻上機と比べて、エレベータ１の巻上機４は水平方向（Ｘ軸方向やＹ軸方向）において揺れにくい。従って、巻上機４の水平方向における揺れを抑えたエレベータ１を提供することができる。
【００２４】
また、上側固定部材５１の中心位置Ｃ１はＹ軸方向において最も曲がりやすいが、本実施形態のエレベータ１では、上述のように、巻上機４が、中心位置Ｃ１よりもカウンターウェイトレールＲ１２側に位置している。そのため、このエレベータ１では、巻上機が中心位置Ｃ１に位置している構成と比べて、上側固定部材５１はＹ軸方向において曲がりにくい。
【００２５】
また、本実施形態のエレベータ１では、固定部５がＺ軸方向に延びる部材を有していないため、固定部５が巻上機４を囲むような枠形状である構成と比べて、Ｘ軸方向及びＹ軸方向において省スペース化を実現できる。また、固定部５の材料コストについても、固定部５が巻上機４を囲むような枠形状である構成と比べて低減できる。
【００２６】
さらに、本実施形態のエレベータ１では、Ｙ軸方向の寸法の小さな薄型の巻上機４において、シーブ４１と巻上機本体４２とがＹ軸方向に並び、かご３とカウンターウェイトＷとの荷重がシーブ４１に加わることで、該巻上機４は、上部４３側から倒れ込むように（お辞儀するように）傾こうとする（図４参照）。このため、エレベータ１において、巻上機４の上部４３にＹ軸方向において、防振部材６１を介して接続する上側固定部材５１が設けられることで、前記倒れ込みが効果的に防がれる。
【００２７】
尚、本発明のエレベータは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００２８】
例えば、固定部５は、少なくとも一方のかごレールＲ２１に接続されると共に、少なくとも一方のカウンターウェイトレールＲ１１に接続されていればよい。上記実施形態の下側固定部材５０は、カウンターウェイトレールＲ１に直接接触されていたが、間接に（他の部材）を介して接続されていてもよい。上記実施形態の上側固定部材５１は、かごレールＲ２やカウンターウェイトレールＲ１に間接に（他の部材（例えば、ブラケット６）を介して）接続されていたが、他の部材を介さず直接に接続されていてもよい。また、上側固定部材５１は、下側固定部材５０と同様に、巻上機４に溶接により固定されていてもよい。さらに、固定部５が下側固定部材５０のみを有していてもよい。このような場合においても、比較的揺れやすい方向が異なるかごレールＲ２やカウンターウェイトレールＲ１が巻上機４を固定しているため、かごレールＲ２のみに固定された巻上機やカウンターウェイトレールＲ１のみに固定された巻上機と比べて、エレベータ１の巻上機４は水平方向（Ｘ軸方向やＹ軸方向）において揺れにくい。従って、巻上機４の水平方向における揺れを抑えたエレベータ１を提供することができる。
【００２９】
上記実施形態の固定部５では、下側固定部材５０がＬ形鋼であり、上側固定部材５１が溝形鋼であったが、下側固定部材５０や上側固定部材６１は、Ｌ形鋼、Ｈ形鋼、Ｉ形鋼、或いは、溝形鋼のいずれであってもよい。
【００３０】
上記実施形態の下側固定部材５０は、接続部位５０１において、一方のカウンターウェイトレールＲ１１の上方の端部Ｒ１１０に接続されていたが、このカウンターウェイトレールＲ１１の端部以外の部分に接続されていてもよい。この場合、カウンターウェイトレールＲ１１は、接続部位５０１よりも上方まで延びていてもよい。
【００３１】
上記実施形態の上側固定部材５１は、かごレールＲ２１からカウンターウェイトレールＲ１２までＸ軸方向に延びていたが、水平面に沿って延びていればよい。例えば、上側固定部材５１は、このようなＸ軸方向に延びる部位に加えて、別の部位（例えば、Ｙ軸方向に延びる部位）を有していてもよい。
【００３２】
上記実施形態の巻上機４は、Ｙ軸方向の寸法の小さな（いわゆる薄型の）巻上機であるが、この構成に限定されない。巻上機４のＹ軸方向の寸法がＸ軸方向の寸法より大きくてもよい。また、巻上機４は、上側固定部材５１の長さ寸法の中心位置Ｃ１よりもカウンターウェイトレールＲ１２側に位置していたが、中心位置Ｃ１よりもかごレールＲ２１側に位置していてもよい。尚、固定部材の長さ寸法における中心位置（例えば、上側固定部材５１の中心位置Ｃ１）は、例えば、固定部材がＸ軸方向にのみ延びている場合にはこの固定部材のＸ軸方向の長さ寸法における中心位置である。また、固定部材が湾曲して延びている場合には、この延びる方向に沿った長さ寸法における中心位置である。
【００３３】
上記実施の形態のエレベータ１では、第一案内対象物がカウンターウェイトＷであり第二案内対象物がかご３であったが、第一案内対象物がかご３であり第二案内対象物がカウンターウェイトＷであってもよい。この場合、第一レールはかごレールＲ２であり、第二レールはカウンターウェイトレールＲ１である。
【符号の説明】
【００３４】
１…エレベータ、２…昇降路、３…かご、４…巻上機、４０…下端、４１…シーブ、４２…巻上機本体（本体）、４３…上部、５…固定部、５０…下側固定部材、５０１、５０２…接続部位、５１…上側固定部材（固定部材）、５１０…中央部、５１１、５１２…接続部位、６…ブラケット、６０、６１…防振部材、１０１…エレベータ、１０３…かご、１０４…巻上機、１５０…機械土台枠、１７０…連結部材、Ｒ…ロープ、Ｒ１、Ｒ１１、Ｒ１２…カウンターウェイトレール（第一レール）、Ｒ２、Ｒ２１、Ｒ２２…かごレール（第二レール）、Ｗ…カウンターウェイト
【図１】
2019137511.tif 000003
【図２】
2019137511.tif 000004
【図３】
2019137511.tif 000005
【図４】
2019137511.tif 000006
【図５】
2019137511.tif 000007